(57)【要約】【課題】水栓の開栓後にすぐに出湯温度が低下し始めることがなく、しかも、ある時点で急激に出湯温度が低下してしまうことを防止し、適温の湯を出湯することができる貯湯式電気温水器を提供すること。【解決手段】貯めた湯を出湯する貯湯式電気温水器において、ヒータ１０が設けられた貯湯槽８と、貯湯槽８へ水を供給する給水管１９と、貯湯槽８から湯を出湯する出湯管２１と、貯湯槽８の内壁に形成され、貯湯槽８の湯が流れる第１開口部２８と、貯湯槽８の内部に第１開口部２８を覆って設けられる流動抵抗部材９と、を備え、流動抵抗部材９は、貯湯槽８の内壁と流動抵抗部材９との間の隙間から、貯湯槽８の湯が第１開口部２８に流れるようにした。【選択図】図１
2015068514.tif 000002
【特許請求の範囲】
【請求項１】
貯めた湯を出湯する貯湯式電気温水器において、
ヒータが設けられた貯湯槽と、
前記貯湯槽へ水を供給する給水管と、
前記貯湯槽から湯を出湯する出湯管と、
前記貯湯槽の内壁に形成され、前記貯湯槽の湯が流れる第１開口部と、
前記貯湯槽の内部に前記第１開口部を覆って設けられる流動抵抗部材と、を備え、
前記流動抵抗部材は、前記貯湯槽の内壁と前記流動抵抗部材との間の隙間から、前記貯湯槽の湯が前記第１開口部に流れるようにしたことを特徴とする貯湯式電気温水器。
【請求項２】
前記流動抵抗部材には、更に前記第１開口部の面積よりも小さい面積の第２開口部が形成されることを特徴とする請求項１に記載の貯湯式電気温水器。
【請求項３】
前記流動抵抗部材は、前記第２開口部がスリット形状であることを特徴とする請求項２に記載の貯湯式電気温水器。
【発明の詳細な説明】
【技術分野】
【０００１】
本発明は、貯湯式電気温水器に関する。
【背景技術】
【０００２】
手洗い器などに設置された水栓へ適温水を供給するための貯湯式電気温水器として、下記特許文献１に記載されたものが提案されている。下記特許文献１に記載された貯湯式電気温水器では、給水源から供給される水が、貯湯式電気温水器の給水口から定流量弁、電動弁、給水管を通って貯湯槽に至る。貯湯槽では、供給された水がヒータで温められ、温められた湯は、出湯管を通って湯水混合手段に至る。また、電動弁を通った水の一部は、給水管からバイパス管に分岐し貯湯槽を介することなく湯水混合手段に至る。湯水混合手段で湯と水が混合されることで適温に調整された適温水は、給湯管を介して自動給水栓から吐出される。
【０００３】
また、貯湯槽は、貯湯槽内の下部から供給される水による攪拌作用による貯湯槽内の急激な湯温の低下を防ぐため、下記特許文献２に記載のように、貯湯槽の給水口の近傍にバッフル板を備えた構造となっている。
【先行技術文献】
【特許文献】
【０００４】
【特許文献１】特許４７２９８３１号公報
【特許文献２】特開２００４−２００４０号公報
【発明の概要】
【発明が解決しようとする課題】
【０００５】
上記特許文献１に記載された貯湯式電気温水器では、貯湯槽内の湯（例えば７５℃）とバイパス管から供給される水（例えば５〜２５℃）とが、湯水混合手段において所定割合で混合され、自動給水栓から適温水（例えば３６℃）が吐出されるようになっている。
【０００６】
ところが、例えば上下方向の高さを低くして扁平にした横長の貯湯槽を有する貯湯式電気温水器の場合、特許文献２に記載のように、貯湯槽給水口の近傍にバッフル板を備えた構造では、貯湯槽内の湯をバランスよく押し出すことが出来ず、貯湯槽出湯口において急激な湯温の低下が発生する。
【０００７】
このような状態になることにより、出湯管から吐出される湯の温度が急激に低下し、出湯管から吐出される湯とバイパス管から供給される水とを湯水混合手段において混合した温水が、水栓の開栓直後は適温の湯が出湯されるものの、すぐに出湯温度が低下し始め、手洗いに適温の温水（例えば３６℃）から外れてしまうことにある。手洗い時においてこの温度低下は使用者に不快な思いを感じさせるため、快適な適温水を供給する観点からは改善すべき課題である。
【０００８】
本発明はこのような課題を解決するためになされたもので、本発明の目的は、水栓の開栓後にすぐに出湯温度が低下し始めることがなく、しかも、ある時点で急激に出湯温度が低下してしまうことを防止し、適温の湯を出湯することができる貯湯式電気温水器を提供することにある。
【課題を解決するための手段】
【０００９】
上記課題を解決するために本発明に係る貯湯式電気温水器は、貯めた湯を出湯する貯湯式電気温水器において、ヒータが設けられた貯湯槽と、前記貯湯槽へ水を供給する給水管と、前記貯湯槽から湯を出湯する出湯管と、前記貯湯槽の内壁に形成され、前記貯湯槽の湯が流れる第１開口部と、前記貯湯槽の内部に前記第１開口部を覆って設けられる流動抵抗部材と、を備え、前記流動抵抗部材は、前記貯湯槽の内壁と前記流動抵抗部材との間の隙間から、前記貯湯槽の湯が前記第１開口部に流れるようにしたことを特徴とする。
【００１０】
このように貯湯槽の内壁と流動抵抗部材によって貯湯槽の内部に第１開口部を設けることで、安定して貯湯槽内の湯を押し出すことができる。その結果、水栓の開栓後にすぐに出湯温度が低下し始めることがなく、しかも、ある時点で急激に出湯温度が低下してしまうことを防止し、適温の湯を出湯することができる貯湯式電気温水器を提供することにある。
【００１１】
また、本発明に係る電気温水器では、前記流動抵抗部材には、更に前記第１開口部の面積よりも小さい面積の第２開口部が形成されることを特徴とする
【００１２】
このように流動抵抗部材に第１開口部の面積よりも小さい面積の第２開口部を設けた構造とすることで、貯湯槽の上部から貯湯槽全体の湯をバランスよく出湯させることができる。
【００１３】
また、本発明に係る電気温水器では、前記流動抵抗部材は、前記第２開口部がスリット形状であることを特徴とする。
【００１４】
このように第２開口部をスリット形状とすることで、流動抵抗部材の長手方向へ効率よく開口部を設けることが出来るとともに、貯湯槽の上部から貯湯槽全体の湯をよりバランスよく出湯させることができる。
【発明の効果】
【００１５】
本発明によれば、水栓の開栓後にすぐに出湯温度が低下し始めることがなく、しかも、ある時点で急激に出湯温度が低下してしまうことを防止し、適温の湯を出湯することができる貯湯式電気温水器を提供することができる。
【図面の簡単な説明】
【００１６】
【図１】本発明の実施形態に係る貯湯式電気温水器の概略構成図である。
【図２】図１に示す貯湯式電気温水器の貯湯槽の内観図である。
【図３】図２に示す貯湯槽出湯口付近の拡大図である。
【図４】図３に示す流動抵抗部材の構造図である。
【発明を実施するための形態】
【００１７】
以下、図面を参照しつつ、本発明の実施の形態について説明する。図１は、本発明の実施形態である貯湯式電気温水器１を示す概略構成図である。貯湯式電気温水器１は、手洗い器等に設置された自動給水栓１５へ適温水を供給することができる。
【００１８】
図１に示すように、貯湯式電気温水器１は、ケーシング２と、給水管１９と、バイパス管２２と、貯湯槽８と、出湯管２１と、湯水混合バルブ１２と、給湯管２３と、を備えている。ケーシング２は、給水管１９、バイパス管２２、貯湯槽８、出湯管２１、湯水混合バルブ１２、及び給湯管２３をその内部に収容するケースである。
【００１９】
給水管１９は、水道管といった給水源（図示せず）と貯湯槽給水口１７を介して貯湯槽８とを繋ぐ流路を構成し、貯湯槽８に水を供給する管路である。給水管１９には給水口３が設けられており、給水口３に給水源となる水道管や他の水供給手段が繋がれる。給水管１９には、上流側（給水口３側）から順に、フィルタ６ａ、逆止弁５ａ、フィルタ６ｂ、及び電動弁１１が設けられている。給水源から供給される水は、給水口３からフィルタ６ａ、逆止弁５ａ、フィルタ６ｂ、電動弁１１を通り、貯湯槽給水口１７を経由して貯湯槽８に至るように構成されている。
【００２０】
貯湯槽８では、供給された水は貯められ、ヒータ１０によって加温される。貯湯槽８の貯湯槽出湯口１８には出湯管２１が繋がれており、貯湯槽８において加温された湯は出湯管２１を経由して湯水混合バルブ１２に供給される。出湯管２１には逆止弁５ｂが設けられており、加温時に発生する膨張水を給水管１９側に逃がすように構成されているとともに、湯水混合バルブ１２側から水が逆流しないように構成されている。ヒータ１０は、貯湯槽８内の湯の温度が一定温度に保たれるように通電されて発熱し、一定温度に達すると通電が中断される。これにより、貯湯槽８内の湯は略一定温度（例えば７５℃）に保たれている。
【００２１】
電動弁１１は、給水口１９よりも下流側で、分岐部２０よりも上流側に配置されている。電動弁１１を開くと、貯湯槽８に水が供給され、貯湯槽８内の湯を出湯管２１側に押し出す。また、電動弁１１を開くと、バイパス管２２にも水が供給される。なお、電動弁１１としては、弁を開閉可能なものであれば、いずれの方式の弁を使用しても構わない。
【００２２】
バイパス管２２は、貯湯槽８の上流側に設けられた分岐部２０において給水管１９から分岐し、貯湯槽８の下流側に設けられた湯水混合バルブ１２において出湯管２１に合流するように設けられている。なお、バイパス管２２には、貯湯式電気温水器１のケーシング２に取付けられた水抜栓７が設けられ、バイパス管２２の水や貯湯槽８内の湯水を排出することができるように構成されている。
【００２３】
出湯管２１には、上流側（貯湯槽８側）から順に、逆止弁５ｂ、及び湯水混合バルブ１２が設けられている。出湯管２１は、貯湯槽８と貯湯槽出湯口１８を介して湯水混合バルブ１２とを繋ぎ、貯湯槽８から吐出される湯を搬送する流路である。湯水混合バルブ１２は、出湯管２１とバイパス管２２とが合流する合流部に設けられている。湯水混合バルブ１２により、出湯管２１内を搬送される湯（例えば７５℃）とバイパス管２２内を搬送される水（例えば５℃〜２５℃）とが混合されるように構成されている。湯水混合バルブ１２は、水と湯を予め設定された適温に混合するものである。湯水混合バルブ１２に設定された湯温を調整するための手動温度調節部１３が設けられている。手動温度調節部１３を操作することにより、使用者は、適温水の温度を季節変動や使用目的に合わせて事前に設定することができる。
【００２４】
給湯管２３は、湯水混合バルブ１２と自動給水栓１５に繋がる連結管２４とを繋ぎ、湯水混合バルブ１２において混合された温水を搬送する流路である。給湯管２３が湯水混合バルブ１２と繋がれている一端とは反対側の他端は、出湯口４としてケーシング２の外部に露出している。連結管２４は、出湯口４に繋がれている。
【００２５】
また、貯湯槽出湯口１８の近傍の貯湯槽８内には流動抵抗部材９が設けられている。
【００２６】
自動給水栓１５には、手検知センサ１６が設けられている。手検知センサ１６が使用者の手を検知した信号は、制御部１４に出力される。制御部１４は、手検知センサ１６から出力された信号に基づいて、電動弁１１を開閉する制御信号を出力する。
【００２７】
続いて、本発明の実施形態に係る貯湯式電気温水器１の貯湯槽８内の構成について、図２を参照しながら説明する。図２は、本発明の実施形態に係る貯湯式電気温水器１の貯湯槽内の構成を説明するための内観図である。
【００２８】
貯湯槽８には、給水管１９が接続される貯湯槽給水口１７と、出湯管２１が接続される貯湯槽出湯口１８が備えられる。
【００２９】
また、貯湯槽８内には、ヒータ１０、貯湯槽出湯口１８の近傍に流動抵抗部材９が設けられ、流動抵抗部材９には第２開口部２５がスリット形状に設けられている。
【００３０】
すなわち、貯湯槽８の内壁に形成され、貯湯槽８の湯が流れる第１開口部２８と、貯湯槽８の内部に第１開口部２８を覆って設けられる流動抵抗部材９と、を備え、流動抵抗部材９は、貯湯槽８の内壁と流動抵抗部材９との間の隙間から、貯湯槽８の湯が第１開口部２８に流れるようになっている。
【００３１】
貯湯槽給水口１７から給水が行われる（矢印Ａ）と、貯湯槽８内の温水は矢印Ｂのように貯湯槽８の内壁と流動抵抗部材９との間の隙間から、貯湯槽８の湯が第１開口部２８に流れ、貯湯槽出湯口１８より押し出される。
【００３２】
一方、流動抵抗部材９の第２開口部２５からも貯湯槽８内の温水が矢印Ｃのように押し出される。
【００３３】
図３は、貯湯槽出湯口１８付近の拡大図である。
【００３４】
流動抵抗部材９には、第１の折り曲げ部２６が設けられ、貯湯槽８内の温水は、この折り曲げ部２６により堰き止められ、矢印Ｄのように貯湯槽出湯口１８から押し出される。その結果、循環流の発生による貯湯槽８内の温水の攪拌を防ぐことが出来る。従って、水栓の開栓後にすぐに出湯温度が低下し始めることがない。
【００３５】
図４は、流動抵抗部材の構造図である。
【００３６】
流動抵抗部材９は一枚の薄板で構成され、第１の折り曲げ部２６と、第２の折り曲げ部２７ａ、２７ｂを備え、貯湯槽８へは、第２の折り曲げ部２７ａ、２７ｂを貯湯槽８へ溶接することで固定される。
【００３７】
このように、貯湯槽出湯口１８の近傍の貯湯槽８内には流動抵抗部材９を備えたので、水栓の開栓後にすぐに出湯温度が低下し始めることがなく、しかも、ある時点で急激に出湯温度が低下してしまうことを防止し、適温の湯を出湯することが出来る。
【００３８】
以上、本発明の実施例を説明したが、これは本発明の説明のための例示であって、本発明の範囲をこの実施例にのみ限定する趣旨ではない。本発明は、他の種々の実施例でも実施することが可能である。
【符号の説明】
【００３９】
１：貯湯式電気温水器
２：ケーシング
３：給水口
４：出湯口
５ａ、５ｂ：逆止弁
６ａ、６ｂ：フィルタ
７：水抜栓
８：貯湯槽
９：流動抵抗部材
１０：ヒータ
１１：開閉弁
１２：湯水混合バルブ
１３：手動温度調節部
１４：制御部
１５：自動給水栓
１６：手検知センサ
１７：貯湯槽給水口
１８：貯湯槽出湯口
１９：給水管
２０：分岐部
２１：出湯管
２２：バイパス管
２３：給湯管
２４：連結管
２５：第２開口部
２６：第１の折り曲げ部
２７ａ、２７ｂ：第２の折り曲げ部
２８．第１開口部
【図１】
2015068514.tif 000003
【図２】
2015068514.tif 000004
【図３】
2015068514.tif 000005
【図４】
2015068514.tif 000006